(57)【要約】【課題】こびりついた付着物も有効に除去できるように清掃ブラシを併設したエアダスターガンを提供する。【解決手段】ガン本体２にエア噴射操作用のハンドルレバー４を設け、ガン本体２の基端部に圧縮エア供給用チューブ８を接続し、ガン本体２の先端部にエア噴射ノズル６を設け、ハンドルレバー４を握ることにより、エア噴射ノズル６から圧縮エアを噴射するようにしたエアダスターガンであって、エア噴射ノズル６の先端部に清掃ブラシ７を着脱自在に取り付けてなる。【選択図】図１
0003164050.tif 000002
【実用新案登録請求の範囲】
【請求項１】
ガン本体にエア噴射操作用のハンドルレバーを設け、ガン本体の基端部に圧縮エア供給用チューブを接続し、ガン本体の先端部にエア噴射ノズルを設け、ハンドルレバーを握ることにより、エア噴射ノズルから圧縮エアを噴射するようにしたエアダスターガンであって、エア噴射ノズルの先端部に清掃ブラシを着脱自在に取り付けてなることを特徴とするエアダスターガン。
【請求項２】
清掃ブラシは、一端面側にエア噴射ノズルの先端部が挿入されるノズル挿入孔とこれに連通して他端面側に開口するエア噴射孔とを設けたプラスチック製のブラシ取付基材を備え、このブラシ取付基材の他端面に、エア噴射孔を取り囲むように複数の毛束を周方向一定間隔で植毛してなることを特徴とする請求項１に記載のエアダスターガン。
【請求項３】
プラスチック製ブラシ取付基材のノズル挿入孔に、金属製エア噴射ノズルの先端部が直接挿入固定されるようになっていることを特徴とする請求項２に記載のエアダスターガン。
【請求項４】
金属製エア噴射ノズルの先端部にプラスチック製ブラシ取付基材よりは軟らかいプラスチック製の取付スリーブが外嵌固定され、この取付スリーブを介してブラシ取付基材のノズル挿入孔にエア噴射ノズルの先端部が挿入固定されるようになっていることを特徴とする請求項２に記載のエアダスターガン。
【請求項５】
前記清掃ブラシは、ブラシ硬さの異なる複数種類の清掃ブラシからなるもので、必要とするブラシ硬さの清掃ブラシをエア噴射ノズルの先端部に取り付けるようになっていることを特徴とする請求項１〜４の何れかに記載のエアダスターガン。
【考案の詳細な説明】
【技術分野】
【０００１】
本考案は、自動車のエアコンの吹き出し口やスイッチの隙間等にたまったホコリを吹き飛ばしたり、またボンネットの内部の各所にたまったホコリを吹き飛ばすのに使用されるエアダスターガンに関する。
【背景技術】
【０００２】
従来のエアダスターガンとして、特許公報等の公知文献を具体的に挙げることはできないが、従来使用されているエアダスターガンは、ガン本体にエア噴射操作用のハンドルレバーを設け、ガン本体の基端部に圧縮エア供給用チューブを接続し、ガン本体の先端部にエア噴射ノズルを設け、ハンドルレバーを握ることにより、エア噴射ノズルから圧縮エアを噴射するようにしたものである。
【考案の概要】
【考案が解決しようとする課題】
【０００３】
従来のエアダスターガンは、エア噴射ノズル先端からエアを噴射するだけであるから、ホコリ等がこびりついているような付着物の場合は、吹き飛ばすことが困難となり、そのような時は、別の清掃ブラシを使用して除去するようにしている。従って、清掃時には、エアダスターガンと清掃ブラシを別々に用意する必要があり、作業も面倒であった。
【０００４】
本考案は、こびりついた付着物も有効に除去できるようにブラシを併設したエアダスターガンを提供することを目的とする。
【課題を解決するための手段】
【０００５】
上記課題を解決するための手段を、後述する実施形態の参照番号を付して説明すると、請求項１に係る考案は、ガン本体２にエア噴射操作用のハンドルレバー４を設け、ガン本体２の基端部に圧縮エア供給用チューブ８を接続し、ガン本体２の先端部にエア噴射ノズル６を設け、ハンドルレバー４を握ることにより、エア噴射ノズル６から圧縮エアを噴射するようにしたエアダスターガンであって、エア噴射ノズル６の先端部に清掃ブラシ７を着脱自在に取り付けてなることを特徴とする。
【０００６】
請求項２は、請求項１に記載のエアダスターガンにおいて、清掃ブラシ７は、一端面側にエア噴射ノズル６の先端部が挿入されるノズル挿入孔１１とこれに連通して他端面側に開口するエア噴射孔１２とを設けたプラスチック製のブラシ取付基材１０を備え、このブラシ取付基材１０の他端面に、エア噴射孔１２を取り囲むように複数の毛束１３・・・を周方向一定間隔で植毛してなることを特徴とする。
【０００７】
請求項３は、請求項２に記載のエアダスターガンにおいて、プラスチック製ブラシ取付基材１０のノズル挿入孔１１に、金属製エア噴射ノズル６の先端部が直接挿入固定されるようになっていることを特徴とする。
【０００８】
請求項４は、請求項２に記載のエアダスターガンにおいて、金属製エア噴射ノズル６の先端部にプラスチック製ブラシ取付基材１０よりは軟らかいプラスチック製の取付スリーブ９が外嵌固定され、この取付スリーブ９を介してブラシ取付基材１０のノズル挿入孔１１にエア噴射ノズル６の先端部が挿入固定されるようになっていることを特徴とする。
【０００９】
請求項５は、請求項１〜４の何れかに記載のエアダスターガンにおいて、前記清掃ブラシ７は、ブラシ硬さの異なる複数種類の清掃ブラシ７ａ〜７ｃからなるもので、必要とするブラシ硬さの清掃ブラシ７ａ，７ｂ，７ｃをエア噴射ノズル６の先端部に取り付けるようになっていることを特徴とする。
【考案の効果】
【００１０】
上記解決手段による考案の効果を、後述する実施形態の参照番号を付して説明すると、請求項１に係る考案のエアダスターガンによれば、例えば自動車内部を掃除する時には、ガン本体２を持ってハンドルレバー４を握れば、エア噴射ノズル６の先端部より圧縮エアが噴射するから、その噴射エアによりエアコンの吹き出し口やスイッチの隙間等にたまったホコリ等を吹き飛ばすことができ、そしてホコリ等が被清掃面にこびりついているような場合は、圧縮エアの噴射を止め、あるいはそのまま噴射を続けてながら、ガン本体２を適宜に動かして清掃ブラシ７でそのこびりついたホコリ等を剥離することによって、そのホコリ等を確実に排除することができる。また、清掃ブラシ７は、エア噴射ノズル６の先端部に対し着脱自在に取り付けられるから、ブラシ７の先端部が磨り減ったり、変形したような場合は、新しいもの容易に取り換えることができる。
【００１１】
請求項２に係る考案のエアダスターガンによれば、清掃ブラシ７は、一端面側にエア噴射ノズル６の先端部が挿入されるノズル挿入孔１１とこれに連通して他端面側に開口するエア噴射孔１２とを設けたプラスチック製ブラシ取付基材１０を備え、このブラシ取付基材１０の他端面に、エア噴射孔１２を取り囲むように複数の毛束１３・・・を周方向一定間隔で植毛してなるもので、これらの毛束１３・・・は、エア噴射ノズル６の先端から噴射するエアの噴流を取り囲むように筒状を成すから、エアの噴射を阻害することがなく、ブラシ操作を有効に行わせることができる。
【００１２】
請求項３に係る考案のように、プラスチック製ブラシ取付基材１０のノズル挿入孔１１に、金属製エア噴射ノズル６の先端部が直接挿入されるようにした場合（図３参照）は、プラスチック製ブラシ取付基材１０のノズル挿入孔１１が弾性変形により僅かに拡径し、ノズル６の先端部がブラシ取付基材１０のノズル挿入孔１１に対し締まり嵌め状態となるので、清掃ブラシ７のブラシ取付基材１０をエア噴射ノズル６の先端部に強固に固定させることができる。
【００１３】
請求項４に係る考案のように、金属製エア噴射ノズル６の先端部に、プラスチック製ブラシ取付基材１０よりは軟らかいプラスチック製取付スリーブ９が外嵌固定され、この取付スリーブ９を介してブラシ取付基材１０のノズル挿入孔１１にエア噴射ノズル６の先端部が挿入されるようにした場合には、ブラシ取付基材１０のノズル挿入孔１１に対しエア噴射ノズル６の先端部を挿入すれば、取付スリーブ９が弾性変形により僅かに縮径して、ノズル挿入孔１１に対し締まり嵌め状態となるから、清掃ブラシ７のブラシ取付基材１０をエア噴射ノズル６の先端部に強固に固定させることができる。
【００１４】
請求項５に係る考案のように、清掃ブラシ７は、ブラシ硬さの異なる複数種類の清掃ブラシ７ａ〜７ｃからなるもので、必要とするブラシ硬さの清掃ブラシ７ａ，７ｂ，７ｃをエア噴射ノズル６の先端部に取り付けるようになっているから、被清掃面の状況、ホコリの付着状態等に応じて必要なブラシ硬さの清掃ブラシ７ａ，７ｂ，７ｃを取り付けて使用することができる。
【図面の簡単な説明】
【００１５】
【図１】本考案のエアダスターガンの一実施形態を示す一部断面側面図である。
【図２】(a) は取付スリーブを取り付けたエア噴射ノズルの先端部と、これに取り付けられる清掃ブラシとを切り離した状態の一部断面説明図、(b) は(a) のＡ−Ａ線拡大断面図である。
【図３】取付スリーブを取り付けていないエア噴射ノズルの先端部と、これに取り付けられる他の実施形態の清掃ブラシとを切り離した状態の一部断面説明図である。
【図４】(a) ，(b) ，(c) はブラシ硬さの異なる例えば３種類の清掃ブラシを示す側面図である。
【図５】エアダスターガンの使用状態を示す斜視図である。
【考案を実施するための形態】
【００１６】
以下に本考案の好適な実施形態について図面を参照しながら説明すると、図１に示すエアダスターガン１は、グリップ部３を有するガン本体２にエア噴射操作用のハンドルレバー４を設け、ガン本体２の基端部に設けたチューブ取付金具５に圧縮エア供給用チューブ８を接続し、ガン本体２の先端部にエア噴射ノズル６を設け、このエア噴射ノズル６の先端部に清掃ブラシ７を着脱自在に取り付けてなるもので、ガン本体２を持ってハンドルレバー４を握ることにより、エア噴射ノズル６の先端部から清掃ブラシ７を通して圧縮エアを噴射するようになっている。
【００１７】
圧縮エア供給用チューブ８の先端部は、エアコンプレッサ（図示省略）に接続されている。エア噴射操作用のハンドルレバー４は、枢軸１６を中心に回動自在であって、常時はバネ（図示省略）により図１の実線図示位置に付勢されており、バネに抗してレバー４を図１の仮想線図示のように握って、ガン本体２側に近づけると、ガン本体２内部のエア通路に設けてある開閉弁（図示省略）が開いて、エアがエア噴射ノズル６の先端部から噴射され、レバー４から手指を放すと、レバー４はバネで図１の実線図示位置に戻って、開閉弁を閉じるようになっている。尚、ハンドルレバー４をガン本体２に近づけるに従って、開閉弁の開度が大きくなり、圧縮エアの噴射量が大きくなる。
【００１８】
ガン本体２及びハンドルレバー４は夫々プラスチックで形成されたものであり、エア噴射ノズル６はステンレス等金属製のパイプからなるものである。この金属製エア噴射ノズル６の先端部には、図２に示すようにプラスチック製の取付スリーブ９が外嵌固定されている。
【００１９】
清掃ブラシ７は、図１及び図２に示すように、一端面側にエア噴射ノズル６の先端部側が挿入されるノズル挿入孔１１とこれに連通して他端面側に開口するエア噴射孔１２とを形成したプラスチック製のブラシ取付基材１０を有し、このブラシ取付基材１０の他端面に、エア噴射孔１２を取り囲むように複数の毛束１３を周方向一定間隔で植毛したものである。
【００２０】
図２の(a) ，(b) に示すように、ブラシ取付基材１０の他端面に毛束１３を植毛するために、このブラシ取付基材１０の他端面には、その中央部のエア噴射孔１２を取り囲むように毛束穴１４を周方向一定間隔おきに穿設し、各毛束穴１４に、多数本のプラスチック製毛材１３ａ・・・・・からなる毛束１３を植設している。これらの毛束１３・・・・・は、エア噴射ノズル６の先端から噴射されるエアの噴流を取り囲むように円筒状に形成されるから、このノズル６先端部からのエアの噴射を阻害することがなく、ブラシ操作を有効に行わせることができる。
【００２１】
図２の(a) に示すように、ブラシ取付基材１０の一端面側に設けられるノズル挿入孔１１は、金属製エア噴射ノズル６の先端部に嵌合固定された取付スリーブ９の外径と同一か又はそれよりも僅かに小さい内径を有する孔である。この場合、取付スリーブ９及びブラシ取付基材１０は何れもプラスチックであるが、取付スリーブ９は、ブラシ取付基材１０より弾性が大きく、且つそのブラシ取付基材１０よりは軟らかいプラスチック材料で形成されている。
【００２２】
従って、清掃ブラシ７をエア噴射ノズル６の先端部に取り付ける時には、図２の(a) に示す状態から、清掃ブラシ７のブラシ取付基材１０のノズル挿入孔１１に対してエア噴射ノズル６の先端部を強く挿入すれば、取付スリーブ９が弾性変形により僅かに縮径して、ノズル挿入孔１１に対し締まり嵌め状態となるため、清掃ブラシ７のブラシ取付基材１０をエア噴射ノズル６の先端部に強固に固定させることができる。また、清掃ブラシ７を取り外す時は、取付スリーブ９をエア噴射ノズル６に対し回しながら強く引っ張ることによって、エア噴射ノズル６から取り外すことができる。
【００２３】
図３は、金属製エア噴射ノズル６の先端部が清掃ブラシ７のブラシ取付基材１０のノズル挿入孔１１に対し直接挿入されるようになっている清掃ブラシ７を示したものである。この場合は、ブラシ取付基材１０のノズル挿入孔１１は、エア噴射ノズル６の外径と同一か又はそれより僅かに小さい内径に形成されている。従って、清掃ブラシ７の取り付けにあたり、エア噴射ノズル６の先端部をブラシ取付基材１０のノズル挿入孔１１に挿入し、エア噴射ノズル６側を適宜に回しながら押し込めば、プラスチック製ブラシ取付基材１０のノズル挿入孔１１が弾性変形により僅かに拡径して、エア噴射ノズル６の先端部がブラシ取付基材１０のノズル挿入孔１１に対てし締まり嵌め状態となるから、清掃ブラシ７のブラシ取付基材１０をエア噴射ノズル６の先端部に強固に固定させることができる。この清掃ブラシ７の取外し時は、取付スリーブ９をエア噴射ノズル６に対し回しながら強く引っ張ることによって、エア噴射ノズル６から取り外すことができる。
【００２４】
図４の(a) ，(b) ，(c) は、ブラシ硬さの異なる例えば３種類の清掃ブラシ７ａ〜７ｃを示したもので、(a) に示す清掃ブラシ７ａはブラシ硬さが比較的固いもの、(b) に示す清掃ブラシ７ｂは軟らかいもの、(c) に示す清掃ブラシ７ｃは更に軟らかいものを示している。この場合、清掃ブラシ７ａは各毛束１３の毛材１３ａが径太となっており、清掃ブラシ７ｂは各毛束１３の毛材１３ｂが径細となっており、清掃ブラシ７ｃは各毛束１３の毛材１３ｃが更に径細となっていることにより、ブラシ硬さが異なっている。このようにブラシ硬さの異なる清掃ブラシ７を複数種類用意しておいて、必要とするブラシ硬さの清掃ブラシ７をエア噴射ノズル６の先端部に取り付けるようにすれば、付着物の付着の度合いに応じて清掃できるから、清掃箇所に傷をつけるようなことがなく的確に清掃することができる。
【００２５】
図４の実施形態では、各毛束１３の毛材１３ａの径の太さを大小変えることによって、ブラシ硬さが異なるようにしたものであるが、各毛束１３の毛材１３ａの径に関係なく、毛材１３ａが硬い材質のもの、軟らかい材質のものを使用して各毛束１３を形成することによって、ブラシ硬さの異なる複数種類の清掃ブラシ７を備えるようにしてもよい。
【００２６】
図５は、上述した本考案に係るエアダスターガン１を使用して、例えば自動車のエアコンの吹き出し口１４に溜まったホコリ１５を除去している状態を示している。この場合、図示のように、ガン本体２を持ってハンドルレバー４を適度に握ることにより、エア噴射ノズル６から清掃ブラシ７を通して圧縮エアを所定の方向に噴射し、ホコリ１５を吹き飛ばすことができる。そして、ホコリ１５が被清掃面にこびりついているような場合には、ハンドルレバー４から手指を放してエアの噴射を中断してもよいし、あるいはそのままハンドルレバー４を握ってエアを噴射しながら、ガン本体２を適宜に動かして清掃ブラシ７でそのこびりついたホコリ１５を剥離することによって、そのホコリ等を確実に排除することができる。
【符号の説明】
【００２７】
１            エアダスターガン
２            ガン本体
４            ハンドルレバー
６            エア噴射ノズル
７            清掃ブラシ
７ａ〜７ｃ    清掃ブラシ
８            圧縮エア供給用チューブ
１０          ブラシ取付基材
１１          ノズル挿入孔
１２          エア噴射孔
１３          毛束
１３ａ        毛材
【図１】
0003164050.tif 000003
【図２】
0003164050.tif 000004
【図３】
0003164050.tif 000005
【図４】
0003164050.tif 000006
【図５】
0003164050.tif 000007